(57)【要約】【課題】  様々な浴槽３の外面に対応することができる水受容器１を提供する。【解決手段】  本発明は、浴槽３の外面に取り付けられ、浴槽３に形成されている貫通孔３ａからの漏水を受け止める水受容器１であって、浴槽３の外面における平面部分に取り付け可能な一側面である第１の側面１Ａと、浴槽３の外面における曲面部分に取り付け可能な一側面であり、第１の側面１Ａと曲率半径が異なる第２の側面１Ｂとを備えることを特徴とする。【選択図】    図１
2007319532.tif 000002
【特許請求の範囲】
【請求項１】
浴槽の外面に取り付けられ、前記浴槽に形成されている貫通孔からの漏水を受け止める水受容器であって、
前記浴槽の外面における平面部分に取り付け可能な一側面である第１の側面と、
前記浴槽の外面における曲面部分に取り付け可能な一側面であり、前記第１の側面と曲率半径が異なる第２の側面と
を備えることを特徴とする水受容器。
【請求項２】
前記第１の側面は、前記浴槽の外面における平面部分に対応する平面で形成され、
前記第２の側面は、前記浴槽の外面における曲面部分に対応する曲面で形成されていることを特徴とする請求項１に記載の水受容器。
【請求項３】
前記第２の側面の曲率半径は、前記浴槽の外面における曲面部分の曲率半径以下であることを特徴とする請求項２に記載の水受容器。
【請求項４】
前記第１の側面と前記第２の側面とは、互いに向き合っており、
前記第１の側面と前記第２の側面とを連結する側面である第３の側面、及び、前記第３の側面と向き合うとともに、前記第１の側面と前記第２の側面とを連結する側面である第４の側面には、前記漏水を排水する排水口が形成されていることを特徴とする請求項１乃至請求項３のいずれか１項に記載の水受容器。
【請求項５】
長手方向断面において、中央部分が内側へ向けて突出する底面を備えることを特徴とする請求項１乃至請求項４のいずれか１項に記載の水受容器。
【発明の詳細な説明】
【技術分野】
【０００１】
本発明は、水受容器に関し、特に、浴槽に形成されている貫通孔からの漏水を受け止める水受容器に関する。
【背景技術】
【０００２】
近年、浴槽には、お湯が冷めた際に再び沸かすことが可能な追い焚き用アダプターが取り付けられている。この浴槽には、追い焚き用アダプターが固定される貫通孔が形成されている。このため、貫通孔からの漏水を受け止める水受容器（いわゆる、水受パン）は、両面テープやシリコンなどのシール剤によって浴槽の外面に取り付けられている（例えば、特許文献１参照）。
【０００３】
具体的には、水受容器は、上面が開口した箱状に形成されている。この水受容器は、この開口した部分を貫通孔側に向けて、浴槽の外面に取り付けられることにより、浴槽に形成されている貫通孔からの漏水を受け止めることができる。
【０００４】
なお、水受容器の側面には、該水受容器に貯まった漏水を浴槽に隣接する洗い場など流すホースが取り付けられている。つまり、水受容器に貯まった漏水は、該ホースを通過して浴槽に隣接する洗い場などに流れることとなる。
【特許文献１】特開２０００−８８３５７号公報（第２−４頁、第１図）
【発明の開示】
【発明が解決しようとする課題】
【０００５】
ところで、近年の浴槽には、外面が平らな箱状で形成されている浴槽（以下、箱状浴槽）や、外面の一部分が曲面で形成されている浴槽（以下、一部曲面浴槽）がある。
【０００６】
しかしながら、上述した従来の水受容器は、箱状に形成されているため、箱状浴槽の外面における平面部分には取り付けられるものの、一部曲面浴槽の外面における曲面部分には取り付けられないという問題があった。
【０００７】
そこで、本発明は、このような問題に鑑みてなされたものであり、様々な浴槽の外面に対応することができる水受容器を提供することを目的とする。
【課題を解決するための手段】
【０００８】
上述した課題を解決するため、本発明は、次のような特徴を有している。まず、本発明の第１の特徴に係る発明は、浴槽の外面に取り付けられ、浴槽に形成されている貫通孔からの漏水を受け止める水受容器であって、浴槽の外面における平面部分に取り付け可能な一側面である第１の側面と、浴槽の外面における曲面部分に取り付け可能な一側面であり、第１の側面と曲率半径が異なる第２の側面とを備えることを要旨とする。
【０００９】
かかる特徴によれば、浴槽の外面における平面部分に取り付け可能な一側面である第１の側面と、浴槽の外面における曲面部分に取り付け可能な一側面であり、第１の側面と曲率半径が異なる第２の側面とを水受容器が備えることによって、浴槽の外面の形状に近い側面で該浴槽の外面に取り付け可能となるため、様々な浴槽の外面（例えば、平面や曲面）に対応することができる。
【００１０】
このため、水受容器は、浴槽の外面の形状に近い側面で該浴槽の外面に取り付けられる（浴槽の外面に適合する）ことが可能であり、落下に対する耐久性を向上させることができる。また、水受容器は、少なくとも２種類の浴槽の外面に一部材で対応することができるため、２種類の水受容器を別部材で製造する場合と比較してコストを大幅に低減させることが可能となる。
【００１１】
本発明の第２の特徴に係る発明は、第１の側面が浴槽の外面における平面部分に対応する平面で形成され、第２の側面が前記浴槽の外面における曲面部分に対応する曲面で形成されていることを要旨とする。
【００１２】
かかる特徴によれば、第１の側面が浴槽の外面における平面部分に対応する平面で形成され、第２の側面が前記浴槽の外面における曲面部分に対応する曲面で形成されていることによって、浴槽の外面における平面部分に貫通孔が設けられている場合には、該平面部分に第１の側面を取り付けることができ、浴槽の外面における曲面部分に貫通孔が設けられている場合には、該曲面部分に第３の側面を取り付けることができる。
【００１３】
本発明の第３の特徴に係る発明は、第２の側面の曲率半径が、浴槽の外面における曲面部分の曲率半径以下であることを要旨とする。
【００１４】
かかる特徴によれば、第２の側面の曲率半径が、浴槽の外面における曲面部分の曲率半径以下であることによって、水受容器の長手方向端部が浴槽の外面と固定されやすくなり（すなわち、浮くことがなくなり）、落下に対する耐久性を向上させることができる。
【００１５】
本発明の第４の特徴に係る発明は、第１の側面と前記第２の側面とが互いに向き合っており、第１の側面と第２の側面とを連結する側面である第３の側面、及び、第３の側面と向き合うとともに、第１の側面と第２の側面とを連結する側面である第４の側面には、漏水を排水する排水口が形成されていることを要旨とする。
【００１６】
かかる特徴によれば、第３の側面及び第４の側面に漏水を排水する排水口が形成されていることによって、水受容器に貯まった貫通孔からの漏水を排出しやすくすることができる。
【００１７】
本発明の第５の特徴に係る発明は、長手方向断面において、中央部分が内側へ向けて突出する底面を水受容器が備えることを要旨とする。
【００１８】
かかる特徴によれば、長手方向断面において、中央部分が内側へ向けて突出する底面を備えることによって、水受容器に貯まった貫通孔からの漏水を排出しやすくすることができる。
【発明の効果】
【００１９】
本発明によれば、曲率半径が異なる第１の側面と第２の側面とを少なくとも備えることによって、様々な浴槽の外面に対応することができる水受容器を提供することができる。
【発明を実施するための最良の形態】
【００２０】
以下、本実施の形態に係る水受容器の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００２１】
図１は、本実施の形態に係る水受容器１が設けられている浴室を示す斜視図であり、図２（ａ）は、本実施の形態に係る水受容器１を示す上面図であり、図２（ｂ）は、本実施の形態に係る水受容器１を示す側面断面図（図２（ａ）のＡ−Ａ断面図）であり、図３（ａ）は、本実施の形態に係る水受容器１が平面部分に貫通孔３ａが設けられている浴槽３に取り付けられた際の拡大斜視図であり、図３（ｂ）は、本実施の形態に係る水受容器１が平面部分に貫通孔３ａが設けられている浴槽３に取り付けられた際の上面図であり、図４（ａ）は、本実施の形態に係る水受容器１が曲面面部分に貫通孔３ａが設けられている浴槽３に取り付けられた際の拡大斜視図であり、図４（ｂ）は、本実施の形態に係る水受容器１が曲面部分に貫通孔３ａが設けられている浴槽３に取り付けられた際の上面図である。
【００２２】
なお、図１では、浴槽３とこの浴槽３に隣接する洗い場５とが一体に形成される浴室ユニットであるが、必ずしも浴室ユニットである必要はなく、浴槽３と洗い場５とが別体で形成される浴室であっても勿論よい。
【００２３】
また、洗い場５とは、浴槽３に隣接する身体等を洗うことが可能な場所であるものとして説明するが、必ずしも身体等を洗うことが可能な場所とは限らず、浴槽３に隣接しており、かつ浴槽３に形成されている貫通孔３ａからの漏水を放出することが可能な場所であればよい。
【００２４】
図１に示すように、水受容器１は、浴槽３内のお湯が冷めた際に再び沸かすことが可能な追い焚き用アダプター（不図示）が固定される貫通孔３ａの下側に配置されている。この水受容器１は、浴槽３の外面にシール剤（例えば、両面テープやシリコン）により、浴槽３の上縁部分（洗い場５の床）と平行に取り付けられ、浴槽３に形成されている貫通孔３ａからの漏水を受け止めるものである。
【００２５】
具体的には、水受容器１は、ＡＢＳ樹脂（アクリロニトリルブタジエンスチレン樹脂）や、ＰＳ（ポリスチレン）、ＡＳ樹脂などの樹脂（いわゆる、スチレン系プラスチック材料）により形成されている。
【００２６】
水受容器１は、図２〜図４に示すように、第１の側面１Ａと、第２の側面１Ｂと、第３の側面１Ｃと、第４の側面１Ｄと、底面１Ｅとによって構成されている。
【００２７】
第１の側面１Ａは、図１及び図３に示すように、浴槽３の外面における平面部分に貫通孔３ａが設けられている場合に、該浴槽３の外面における平面部分に取り付け可能な一側面である。このため、第１の側面１Ａは、浴槽３の外面における平面部分に対応する平面で形成されている。
【００２８】
第２の側面１Ｂは、第１の側面１Ａと向き合っている（すなわち、第１の側面１Ａと第２の側面１Ｂとは、互いに向き合っている）。また、第２の側面１Ｂは、第１の側面１Ａと異なる形状からなり、該第１の側面１Ａと曲率半径が異なっている。
【００２９】
すなわち、第２の側面１Ｂは、図４に示すように、浴槽３の外面における曲面部分に貫通孔３ａが設けられている場合に、該浴槽３の外面における曲面部分に取り付け可能な一側面である。このため、第２の側面１Ｂは、浴槽３の外面における曲面部分に対応する曲面で形成されている。
【００３０】
ここで、図４（ｂ）に示すように、第２の側面１Ｂの曲率半径（Ｒ１）は、浴槽３の外面における曲面部分の曲率半径（Ｒ２）以下（すなわち、同等以下）であることが好ましい。
【００３１】
なお、第２の側面１Ｂの曲率半径（Ｒ１）が浴槽３の外面における曲率半径（Ｒ２）よりも大きいと、水受容器１の長手方向端部が浴槽３の外面と固定されにくく（浮いてしまうことがあり）、落下に対する耐久性を向上させることができない場合があるからである。
【００３２】
第３の側面１Ｃは、第１の側面１Ａと第２の側面１Ｂとを連結する側面である。また、第４の側面１Ｄは、第３の側面１Ｃと向き合うとともに、第１の側面１Ａと第２の側面１Ｂとを連結する側面である。
【００３３】
ここで、浴槽３の外面における平面部分に第１の側面１Ａが取り付けられる場合（図３参照）や、浴槽３の外面における曲面部分に第２の側面１Ｂが取り付けられる場合（図４参照）、浴槽３に隣接する洗い場５の位置が異なる場合等によって、水受容器１に貯まった浴槽３に形成されている貫通孔３ａからの漏水を排出するホース７が取り付けられるホース孔１ａの位置が異なることがある。
【００３４】
このため、上述したいずれの場合であっても、貫通孔３ａからの漏水を排出しやすくするために、第３の側面１Ｃ及び第４の側面１Ｄには、漏水を排出するホース７が取り付けられるホース孔１ａ（すなわち、漏水を排水する排水口）が形成されている。
【００３５】
このホース孔１ａには、いずれか一方にホース７が取り付けられ、他方にホース孔１ａを塞ぐ取り外し可能なキャップ９が取り付けられている。このキャップ９の内側には、ネジ山が形成されている。このキャップ９は、ホース孔１ａに形成されるネジ山に螺合することにより、該ホース孔１ａを塞ぐことができる。
【００３６】
底面１Ｅは、上述した浴槽３の外面における平面部分に第１の側面１Ａが取り付けられる場合や、浴槽３の外面における曲面部分に第２の側面１Ｂが取り付けられる場合、浴槽３に隣接する洗い場５の位置が異なる場合であっても、貫通孔３ａからの漏水を排出しやすくするために、長手方向断面において、中央部分１ｂが内側へ向けて突出している（図３（ｂ）参照）。
【００３７】
（作用・効果）
以上説明した本実施の形態に係る水受容器１によれば、浴槽３の外面における平面部分に取り付け可能な一側面である第１の側面１Ａと、浴槽３の外面における曲面部分に取り付け可能な一側面であり、第１の側面１Ａと曲率半径が異なる第２の側面１Ｂとを少なくとも備えることによって、浴槽３の外面の形状に近い側面で該浴槽の外面に取り付け可能となるため、様々な浴槽３の外面（例えば、平面や曲面）に対応することができる。
【００３８】
すなわち、浴槽３の外面における平面部分に貫通孔３ａが設けられている場合には、該平面部分に第１の側面１Ａを取り付けることができ、浴槽３の外面における曲面部分に貫通孔３ａが設けられている場合には、該曲面部分に第２の側面１Ｂを取り付けることができる。
【００３９】
このため、水受容器１は、浴槽３の外面の形状に近い側面で該浴槽の外面に取り付けられる（浴槽３の外面に適合する）ことが可能であり、落下に対する耐久性を向上させることができる。また、水受容器１は、少なくとも２種類の浴槽３の外面に一部材で対応することができるため、２種類の水受容器を別部材で製造する場合と比較してコストを大幅に低減させることが可能となる。
【００４０】
また、第２の側面１Ｂの曲率半径（Ｒ１）が、浴槽３の外面における曲面部分の曲率半径（Ｒ２）以下（すなわち、同等以下）であることによって、水受容器１の長手方向端部が浴槽３の外面と固定されやすくなり（すなわち、浮くことがなくなり）、落下に対する耐久性を向上させることができる。
【００４１】
また、第３の側面１Ｃ及び第４の側面１Ｄには、漏水を排出するホース７が取り付けられるホース孔１ａ（すなわち、漏水を排水する排水口）が形成されていることによって、浴槽３の外面における平面部分に第１の側面１Ａが取り付けられる場合や、浴槽３の外面における曲面部分に第２の側面１Ｂが取り付けられる場合、浴槽３に隣接する洗い場５の位置が異なる場合であっても、水受容器１に貯まった貫通孔３ａからの漏水を排出しやすくすることができる。
【００４２】
また、ホース７が取り付けられていないホース孔１ａにキャップ９が取り付けられていることによって、ホース７が取り付けられていないホース孔１ａから漏水が流れてしまうことを防止することができる。
【００４３】
さらに、長手方向断面において、中央部分１ｂが内側へ向けて突出する底面１Ｅを備えることによって、浴槽３の外面における平面部分に第１の側面１Ａが取り付けられる場合や、浴槽３の外面における曲面部分に第２の側面１Ｂが取り付けられる場合、浴槽３に隣接する洗い場５の位置が異なる場合であっても、水受容器１に貯まった貫通孔３ａからの漏水を排出しやすくすることができる。
【００４４】
［その他の実施の形態］
上述したように、実施の形態を通じて本発明の内容を開示したが、この開示の一部をなす論述及び図面は、本発明を限定するものであると理解すべきではない。
【００４５】
例えば、水受容器１では、第１の側面１Ａが平面で形成されており、第２の側面１Ｂが曲面で形成されているものとして説明したが、これに限定されるものではなく、例えば、図５に示すように、第１の側面１Ａ及び第２の側面が曲面で形成されており、第１の側面１Ａと第２の側面１Ｂとの曲率半径が異なっていてもよい。なお、図５では、第１の側面１Ａの曲率半径（Ｒ３）よりも第２の側面１Ｂの方が曲率半径（Ｒ１）が大きく設定されている。
【００４６】
また、第１の側面１Ａ又は第２の側面１Ｂが浴槽３の外面に取り付けられるものとして説明したが、これに限定されるものではなく、第３の側面１Ｃ又は第４の側面１Ｄが浴槽３の外面に取り付けられるものであっても勿論よい。この場合、第３の側面１Ｃや第４の側面１Ｄは、第１の側面１Ａの曲率半径又は第２の側面１Ｂの曲率半径と異なることにより、複数の浴槽３の外面に対応することが可能となる。
【００４７】
また、底面１Ｅは、長手方向断面において、中央部分１ｂが内側へ向けて突出しているものとして説明したが、これに限定されるものではなく、平面で形成されていてもよい。
【００４８】
また、水受容器１は、浴槽３の上縁部分（洗い場５の床）と平行に取り付けられている（図１参照）ものとして説明したが、これに限定されるものではなく、例えば、図６に示すように、浴槽３の上縁部分（洗い場５の床）に対して斜めに取り付けられるものであってもよい。
【００４９】
また、キャップ９は、ホース孔１ａに形成されるネジ山に螺合することにより、該ホース孔１ａを塞ぐものとして説明したが、これに限定されるものではなく、ホース孔１ａに嵌入し、かつ取り外し可能な栓（例えば、ゴム栓）等であっても勿論よい。
【００５０】
また、水受容器１では、第３の側面１Ｃ及び第４の側面１Ｄにホース孔１ａ（排水口）が形成されているものとして説明したが、これに限定されるものではなく、例えば、底面１Ｅの一部分にホース孔１ａが設けられていても勿論よい。
【００５１】
さらに、水受容器１は、浴槽３に形成されている貫通孔３ａからの漏水を受け止めるものとして説明したが、これに限定されるものではなく、エアコン等の結露を受け止めるものであっても勿論よい。
【００５２】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００５３】
【図１】本実施の形態に係る水受容器が設けられている浴室を示す斜視図である。
【図２】本実施の形態に係る水受容器を示す上面図・側面断面図である。
【図３】本実施の形態に係る水受容器が平面部分に貫通孔が設けられている浴槽に取り付けられた際の図である。
【図４】本実施の形態に係る水受容器が曲面部分に貫通孔が設けられている浴槽に取り付けられた際の図である。
【図５】その他の実施の形態に係る水受容器を示す上面図である。
【図６】その他の実施の形態に係る水受容器が取り付けられた浴槽を示す側面図である。
【符号の説明】
【００５４】
１…水受容器
１Ａ…第１の側面
１Ｂ…第２の側面
１Ｃ…第３の側面
１Ｄ…第４の側面
１Ｅ…底面
１ａ…ホース孔
１ｂ…中央部分
３…浴槽
３ａ…貫通孔
５…洗い場
７…ホース
９…キャップ
【図１】
2007319532.tif 000003
【図２】
2007319532.tif 000004
【図３】
2007319532.tif 000005
【図４】
2007319532.tif 000006
【図５】
2007319532.tif 000007
【図６】
2007319532.tif 000008